(57)【要約】【課題】書込み動作の駆動電圧マージンを狭めることなく、かつプライミング電極専用の駆動回路を設けることなく、書込み放電を安定して発生させることができるプラズマディスプレイパネルとその駆動方法を提供する。【解決手段】プライミングセルの放電開始電圧を主放電セルの放電開始電圧より低く設定し、プライミング電極をそれぞれ走査電極のいずれかと電気的に接続し、主放電セルの初期化動作の後、主放電セルで放電を発生させずプライミングセルでのみ初期化放電を発生させる。【選択図】図５
2006172800.tif 000002
【特許請求の範囲】
【請求項１】
第１の基板上に平行に配置され、表示電極対を構成する走査電極および維持電極と、
前記第１の基板上に、前記表示電極対のうち隣り合う表示電極対の間に前記表示電極対と平行に配置されたプライミング電極と、
放電空間を挟んで前記第１の基板に対向配置された第２の基板上に、前記表示電極対と交差する方向に配置されたデータ電極と、
前記表示電極対と前記データ電極とが対向する位置に主放電セルを区画するとともに、前記プライミング電極と前記データ電極とが対向する位置にプライミングセルを区画する隔壁とを備え、
前記プライミング電極のそれぞれは前記走査電極のいずれかと電気的に接続されていることを特徴とするプラズマディスプレイパネル。
【請求項２】
前記プライミングセルは、前記プライミングセルのデータ電極側を陰極とする放電開始電圧とプライミング電極側を陰極とする放電開始電圧との和が、前記主放電セルの走査電極−維持電極間の走査電極側を陰極とする放電開始電圧と維持電極側を陰極とする放電開始電圧との和よりも小さく、かつ前記主放電セルのデータ電極−走査電極間の走査電極側を陰極とする放電開始電圧とデータ電極側を陰極とする放電開始電圧との和よりも小さくなるように構成されていることを特徴とする請求項１に記載のプラズマディスプレイパネル。
【請求項３】
前記プライミング電極は、書込み期間において、隣接する主放電セルの走査電極のうち先に走査パルスを印加する走査電極と電気的に接続されていることを特徴とする請求項１に記載のプラズマディスプレイパネル。
【請求項４】
前記プライミング電極は、書込み期間において、隣接する主放電セルの走査電極よりも先に走査パルスを印加する走査電極と電気的に接続されていることを特徴とする請求項１に記載のプラズマディスプレイパネル。
【請求項５】
請求項２に記載のプラズマディスプレイパネルの駆動方法であって、
１フィールドを初期化期間、書込み期間、維持期間を有する複数のサブフィールドで構成し、
前記初期化期間は主放電セルの初期化動作を行う主放電セル初期化期間と、プライミングセルの初期化動作を行うプライミングセル初期化期間とを有し、
前記プライミングセル初期化期間には、主放電セルで放電を発生させず、プライミングセルで初期化動作を行うための放電を発生させる電圧をプライミング電極に印加することを特徴とするプラズマディスプレイパネルの駆動方法。
【発明の詳細な説明】
【技術分野】
【０００１】
本発明は、壁掛けテレビや大型モニター等に用いられるプラズマディスプレイパネルとその駆動方法に関する。
【背景技術】
【０００２】
プラズマディスプレイパネル（以下、「パネル」と略記する）は、大画面、薄型、軽量であることを特徴とする視認性に優れた表示デバイスである。
【０００３】
パネルとして代表的な交流面放電型パネルは、対向配置された前面板と背面板との間に多数の放電セルが形成されている。前面板は、走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極対とデータ電極とが立体交差するように前面板と背面板とが対向配置されて密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としてはサブフィールド法、すなわち、１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００５】
初期化期間では、全ての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きをもつ。書込み期間では、走査電極に順次走査パルス電圧を印加するとともに、データ電極には表示すべき画像信号に対応した書込みパルス電圧を印加し、走査電極とデータ電極との間で選択的に書込み放電をおこし、選択的な壁電荷形成を行う。つづく維持期間では、走査電極と維持電極との間に所定の回数の維持パルス電圧を印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルス電圧に高い電圧が使えないこと、データ電極上に形成された蛍光体層が放電をおこり難くしていること等、書込み放電に関しては放電遅れを大きくする要因が多い。したがって、書込み放電を安定して発生させるためのプライミングが非常に重要となる。
【０００７】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足して放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００８】
これらの問題を解決するために、プライミング電極を設けてプライミングを発生させ、放電遅れを小さくするパネルとその駆動方法が提案されている（例えば特許文献１参照）。
【特許文献１】特開平９−２４５６２７号公報
【発明の開示】
【発明が解決しようとする課題】
【０００９】
しかしながら上述のパネルにおいては、隣接する放電セルが相互干渉をおこしやすく、特に書込み期間において、隣接する放電セルの書込み放電の影響を受けて誤書込み、あるいは書込み不良を生じるおそれがあり、そのため書込み動作の駆動電圧マージンが狭くなるという課題があった。さらに上述の駆動方法においては、プライミング電極専用の駆動回路が必要である。特に、それぞれの走査電極に対する書込み動作の直前にプライミング放電を発生させるためにはそれぞれのプライミング電極を独立に駆動する必要があり、そのためにはプライミング電極数と同数の駆動回路が必要となる。
【００１０】
本発明はこれらの課題に鑑みなされたものであり、書込み動作の駆動電圧マージンを狭めることなく、かつプライミング電極専用の駆動回路を設けることなく、書込み放電を安定して発生させることができるプラズマディスプレイパネルとその駆動方法を提供することを目的とする。
【課題を解決するための手段】
【００１１】
本発明のパネルは、第１の基板上に平行に配置され表示電極対を構成する走査電極および維持電極と、第１の基板上に表示電極対のうち隣り合う表示電極対の間に表示電極対と平行に配置されたプライミング電極と、放電空間を挟んで第１の基板に対向配置された第２の基板上に表示電極対と交差する方向に配置されたデータ電極と、表示電極対とデータ電極とが対向する位置に主放電セルを区画するとともにプライミング電極とデータ電極とが対向する位置にプライミングセルを区画する隔壁とを備え、プライミング電極のそれぞれは走査電極のいずれかと電気的に接続されていることを特徴とする。この構成により、書込み動作の駆動電圧マージンを狭めることなく、かつプライミング電極専用の駆動回路を設けることなく、書込み放電を安定して発生させることができるプラズマディスプレイパネルを提供することができる。
【００１２】
また本発明のパネルのプライミングセルは、プライミングセルのデータ電極側を陰極とする放電開始電圧とプライミング電極側を陰極とする放電開始電圧との和が、主放電セルの走査電極−維持電極間の走査電極側を陰極とする放電開始電圧と維持電極側を陰極とする放電開始電圧との和よりも小さく、かつ主放電セルのデータ電極−走査電極間の走査電極側を陰極とする放電開始電圧とデータ電極側を陰極とする放電開始電圧との和よりも小さくなるように構成されている。この構成により、プライミング電極と走査電極とが電気的に接続されていても、主放電セル内部の壁電荷とは独立にプライミングセル内部の壁電荷を制御することができる。
【００１３】
また本発明のパネルのプライミング電極は、書込み期間において、隣接する主放電セルの走査電極のうち先に走査パルスを印加する走査電極と電気的に接続されていてもよい。この構成により、主放電セルの走査電極に走査パルス電圧を印加することにより、主放電セルに隣接するプライミングセルでプライミング放電を発生させることができる。
【００１４】
また本発明のパネルのプライミング電極は、書込み期間において、隣接する主放電セルの走査電極よりも先に走査パルスを印加する走査電極と電気的に接続されていてもよい。この構成により、主放電セルの走査電極に走査パルス電圧を印加する以前に、主放電セルに隣接するプライミングセルでプライミング放電を発生させることができる。
【００１５】
また本発明のパネルの駆動方法は、請求項２に記載のプラズマディスプレイパネルの駆動方法であって、１フィールドを初期化期間、書込み期間、維持期間を有する複数のサブフィールドで構成し、初期化期間は主放電セルの初期化動作を行う主放電セル初期化期間とプライミングセルの初期化動作を行うプライミングセル初期化期間とを有し、プライミングセル初期化期間には、主放電セルで放電を発生させず、プライミングセルで初期化動作を行うための放電を発生させる電圧をプライミング電極に印加することを特徴とする。この方法により、走査電極とプライミング電極とに同一の駆動電圧を印加しながら、主放電セルおよびプライミングセルの壁電荷を所望の値に設定することができる。
【発明の効果】
【００１６】
本発明によれば、書込み動作の駆動電圧マージンを狭めることなく、かつプライミング電極専用の駆動回路を設けることもなく、書込み放電を安定して発生させることができるプラズマディスプレイパネルとその駆動方法を提供することができる。
【発明を実施するための最良の形態】
【００１７】
以下、本発明の実施の形態におけるパネルとその駆動方法について、図面を用いて説明する。
【００１８】
（実施の形態）
図１は本発明の実施の形態におけるパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンとキセノンとの混合ガスが封入されている。
【００１９】
前面基板２１上には、走査電極２２と維持電極２３とからなる表示電極対が互いに平行に複数対形成されている。本実施の形態においては、例えば走査電極２２−維持電極２３の順で構成された表示電極対に隣接する表示電極対は維持電極２３−走査電極２２の順で構成されている。そして、隣接する表示電極対の間のうち、走査電極２２が対向する側にはプライミング電極２９が表示電極対と平行に構成されている。したがって、前面基板２１上には、維持電極２３−走査電極２２−プライミング電極２９−走査電極２２−維持電極２３−維持電極２３−走査電極２２−プライミング電極２９−走査電極２２−維持電極２３−・・・となるように配列されている。走査電極２２と維持電極２３は、それぞれ透明電極２２ａ、２３ａとその透明電極２２ａ、２３ａ上に形成された金属母線２２ｂ、２３ｂとから構成されている。走査電極２２−走査電極２２間、および維持電極２３−維持電極２３間には黒色材料からなる光吸収層２８が設けられており、プライミング電極２９は走査電極２２−走査電極２２間に設けられた光吸収層２８上に金属母線を用いて構成されている。そして、これらの走査電極２２、維持電極２３、プライミング電極２９および光吸収層２８とを覆うように誘電体層２４および保護層２５が形成されている。
【００２０】
背面基板３１上には、走査電極２２と交差する方向にデータ電極３２が互いに平行に複数形成され、そしてデータ電極３２を覆うように誘電体層３３が形成されている。そして表示電極対とデータ電極とが対向する位置に主放電セルを区画するとともに、プライミング電極とデータ電極とが対向する位置にプライミングセルを区画するように、誘電体層３３の上に隔壁３４が形成されている。
【００２１】
隔壁３４は、データ電極３２と平行な方向に延びる縦壁部３４ａと、主放電セル４０を形成するとともに主放電セル４０の間に隙間部４１を形成する横壁部３４ｂとで構成されている。その結果、隔壁３４は走査電極２２と維持電極２３とからなる一対の表示電極対に沿って主放電セル４０を複数連結した主放電セル行を形成し、隣接した主放電セル行の間に隙間部４１を生じる。隙間部４１のうち、２本の走査電極２２が隣り合う側に位置する隙間部の前面基板２１上にはプライミング電極２９が形成されており、この隙間部はプライミングセル４１ａとして働く。すなわち隙間部４１は１つおきにプライミング電極２９を有するプライミングセル４１ａとなっている。なお、隙間部４１ｂは２本の維持電極２３が隣り合う側に位置する隙間部である。
【００２２】
そして、これら隔壁３４の頂部は前面基板２１に当接するように平坦に形成されている。これは、隣接する主放電セル４０の相互干渉を防ぐためであり、特に書込み期間において隣接する主放電セル４０の放電の影響を受けて誤書込みを生じる等の誤動作を防ぐためである。
【００２３】
そして、隔壁３４により区画された主放電セル４０に対応する誘電体層３３の表面と隔壁３４の側面とに蛍光体層３５が設けられている。さらに本実施の形態においてはプライミングセル４１ａに放電開始電圧を下げるためのＭｇＯ粉末層３９が塗布されている。これは、プライミングセル４１ａのデータ電極３２側を陰極とする放電開始電圧とプライミング電極２９側を陰極とする放電開始電圧との和を、主放電セル４０の走査電極２２−維持電極２３間の走査電極２２側を陰極とする放電開始電圧と維持電極２３側を陰極とする放電開始電圧との和よりも小さく、かつ、主放電セル４０のデータ電極３２−走査電極２２間の走査電極２２側を陰極とする放電開始電圧とデータ電極３２側を陰極とする放電開始電圧との和よりも小さく設定するために設けられたものである。
【００２４】
なお、上述の放電開始電圧の条件を満たすことができれば、必ずしもプライミングセル４１ａにＭｇＯ粉末層３９を設ける必要はなく、また、ＭｇＯ粉末以外の物質、例えば、導電性物質、あるいは二次電子放出係数の大きい金属酸化物等を塗布してもよい。あるいは、プライミングセル４１ａのプライミング電極２９−データ電極３２間の放電距離を短くして上述の放電開始電圧の条件を満たす構造としてもよい。
【００２５】
なお、上述の説明ではデータ電極３２を覆うように誘電体層３３が形成されているが、この誘電体層３３は形成しなくてもよい。
【００２６】
図３は本発明の実施の形態におけるパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とｎ／２行のプライミング電極ＰＲ１〜ＰＲｎ−１（図１のプライミング電極２９）とが維持電極ＳＵ１−走査電極ＳＣ１−プライミング電極ＰＲ１−走査電極ＳＣ２−維持電極ＳＵ２−維持電極ＳＵ３−走査電極ＳＣ３−プライミング電極ＰＲ３−走査電極ＳＣ４−維持電極ＳＵ４−・・・となるように配列されている。そして、一対の走査電極ＳＣｉ、維持電極ＳＵｉ（ｉ＝１〜ｎ）と１つのデータ電極Ｄｊ（ｊ＝１〜ｍ）とを含む主放電セルＣｉ，ｊ（図１の主放電セル４０）が放電空間内にｍ×ｎ個形成されている。そして、本実施の形態においては、ｐ行目のプライミング電極ＰＲｐはｐ行目の走査電極ＳＣｐと電気的に接続されている。これは後述するように、プライミング電極を、それに隣接する走査電極のうち先に走査パルスを印加する走査電極と接続したことになる。またプライミング電極ＰＲｐ（ｐは奇数）とデータ電極Ｄ１〜Ｄｍとを含むプライミングセルＰＳｐ（図１のプライミングセル４１ａ）が放電空間内にｎ／２個形成される。そして詳細は後述するが、書込み期間においてこのプライミングセルＰＳｐで発生したプライミングは、プライミングセルＰＳｐに隣接する主放電セルＣｐ，１〜Ｃｐ，ｍ、Ｃｐ＋１，１〜Ｃｐ＋１，ｍに供給される。
【００２７】
図４は、本発明の実施の形態におけるパネルを用いたプラズマディスプレイ装置の回路構成の一例を示すブロック図である。ディスプレイ装置１００は、画像信号処理回路１０１、データ電極駆動回路１０２、タイミング制御回路１０３、走査電極駆動回路１０４および維持電極駆動回路１０５を有している。画像信号および同期信号は、画像信号処理回路１０１に入力される。画像信号処理回路１０１は、画像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５にタイミング制御信号を出力する。
【００２８】
データ電極駆動回路１０２は、サブフィールド信号およびタイミング制御信号に応じて、パネル１０のデータ電極３２（図３のデータ電極Ｄ１〜Ｄｍ）に所定の駆動波形電圧を印加する。走査電極駆動回路１０４はタイミング制御信号に応じてパネル１０の走査電極２２（図３の走査電極ＳＣ１〜ＳＣｎ）およびプライミング電極２９（図３のプライミング電極ＰＲ１〜ＰＲｎ−１）に所定の駆動波形電圧を印加し、維持電極駆動回路１０５はタイミング制御信号に応じてパネル１０の維持電極２３（図３の維持電極ＳＵ１〜ＳＵｎ）に所定の駆動波形電圧を印加する。データ電極駆動回路１０２、走査電極駆動回路１０４、維持電極駆動回路１０５には電源回路（図示せず）から必要な電力が供給されている。
【００２９】
つぎに、パネルを駆動するための駆動波形とそのタイミングについて、パネルの動作とともに説明する。図５は、本発明の実施の形態におけるパネルの駆動波形図である。なお、１フィールド期間は複数のサブフィールドから構成され、それぞれのサブフィールドは、主放電セル初期化期間、プライミングセル初期化期間（以下、「Ｐセル初期化期間」と略記する）、書込み期間、維持期間を有する。また、本発明の実施の形態においては複数のサブフィールドのうち最初のサブフィールドの主放電セル初期化期間は、画像表示にかかわる全ての主放電セルで初期化放電を発生させる全セル初期化動作を行い、２番目以降のサブフィールドはその直前のサブフィールドの維持期間で維持放電を行った主放電セルに対して選択的に初期化放電を発生させる選択初期化動作を行うものとして説明する。
【００３０】
最初のサブフィールドの主放電セル初期化期間では、まず、データ電極Ｄ１〜Ｄｍ、維持電極ＳＵ１〜ＳＵｎをそれぞれ０（Ｖ）に保持し、走査電極ＳＣ１〜ＳＣｎには電圧Ｖｉ１から、維持電極ＳＵ１〜ＳＵｎおよびデータ電極Ｄ１〜Ｄｍに対して放電開始電圧を超える電圧Ｖｉ２に向かって緩やかに上昇する傾斜波形電圧を印加する。すると、主放電セルＣｉ，ｊ内部では、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電がおこる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う保護層２５や蛍光体層３５上等に蓄積された壁電荷により生じる電圧をあらわす。
【００３１】
つぎに、維持電極ＳＵ１〜ＳＵｎを正電圧Ｖｅに保ち、走査電極ＳＣ１〜ＳＣｎには、維持電極ＳＵ１〜ＳＵｎおよびデータ電極Ｄ１〜Ｄｍに対して放電開始電圧以下となる電圧Ｖｉ３から放電開始電圧を超える電圧Ｖｉ４に向かって緩やかに下降する傾斜波形電圧を印加する。すると、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電がおこる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により画像表示にかかわる全ての主放電セルを初期化放電させる全セル初期化動作が終了する。
【００３２】
なお、主放電セル初期化期間においてプライミングセルＰＳ１〜ＰＳｎ−１内部でも放電が発生し壁電荷が蓄積するが、つづくＰセル初期化期間においてプライミングセルＰＳ１〜ＰＳｎ−１内の壁電荷の再調整を行うため、ここで形成された壁電荷はＰセル初期化期間以降の動作に影響を及ぼさない。
【００３３】
Ｐセル初期化期間では、プライミング電極ＰＲ１〜ＰＲｎ−１に電圧Ｖｐ１を印加してプライミングセルＰＳ１〜ＰＳｎ−１内部で放電を発生させ、プライミングセルＰＳ１〜ＰＳｎ−１内部のプライミング電極ＰＲ１〜ＰＲｎ−１上部には負の壁電圧、データ電極Ｄ１〜Ｄｍ上部には正の壁電圧を蓄積する。ｐ行目のプライミング電極ＰＲｐとｐ行目の走査電極ＳＣｐとはそれぞれ電気的に接続されているため主放電セルＣｐ，１〜Ｃｐ，ｍ内部の走査電極ＳＣｐにも電圧Ｖｐ１が印加されるが、電圧Ｖｐ１は主放電セルＣｐ，１〜Ｃｐ，ｍ内部で放電を発生させるほど高くないので主放電セルＣｐ，１〜Ｃｐ，ｍ内部の壁電圧は変化しない。
【００３４】
つぎに、プライミング電極ＰＲ１〜ＰＲｎ−１に、データ電極Ｄ１〜Ｄｍに対して放電開始電圧以下となる電圧Ｖｐ２から放電開始電圧を超える電圧Ｖｐ３に向かって緩やかに下降する傾斜波形電圧を印加する。すると、プライミング電極ＰＲ１〜ＰＲｎ−１とデータ電極Ｄ１〜Ｄｍとの間で微弱な初期化放電がおこる。そして、プライミング電極ＰＲ１〜ＰＲｎ−１上部の負の壁電圧およびデータ電極Ｄ１〜Ｄｍ上部の正の壁電圧は書込み期間におけるプライミング動作に適した値に調整される。なお、この場合もプライミング電極ＰＲＰに接続された走査電極ＳＣＰにプライミング電極ＰＲＰと同一の電圧が印加されるが、この電圧は主放電セルＣｐ，１〜Ｃｐ，ｍ内部で放電を発生させるほど高くないので主放電セルＣｐ，１〜Ｃｐ，ｍ内部の壁電圧は変化しない。
【００３５】
このように、プライミング電極と走査電極とは電気的に接続されているにもかかわらず、Ｐセル初期化期間において、主放電セル内の壁電圧を変化させずにプライミングセルのみ初期化動作を行うことができる。これは、プライミングセルのデータ電極側を陰極とする放電開始電圧とプライミング電極側を陰極とする放電開始電圧との和を、主放電セルの走査電極−維持電極間の走査電極側を陰極とする放電開始電圧と維持電極側を陰極とする放電開始電圧との和よりも小さく、かつ、主放電セルのデータ電極−走査電極間の走査電極側を陰極とする放電開始電圧とデータ電極側を陰極とする放電開始電圧との和よりも小さく設定することにより可能となっている。
【００３６】
書込み期間では、走査電極ＳＣ１〜ＳＣｎを一旦電圧Ｖｃに保持する。そして、１行目の走査電極ＳＣ１に負の走査パルス電圧Ｖａを印加する。このとき同時に、１行目のプライミング電極ＰＲ１にも負の走査パルス電圧Ｖａが印加される。すると、プライミング電極ＰＲ１とデータ電極Ｄ１〜Ｄｍとの間でプライミング放電が発生する。そして、１行目の主放電セルＣ１，１〜Ｃ１，ｍおよび２行目の主放電セルＣ２，１〜Ｃ２，ｍ内部にプライミングを供給する。この放電によってプライミング電極ＰＲ１上部には正の壁電圧が蓄積される。
【００３７】
そしてこのとき、データ電極Ｄ１〜Ｄｍのうち１行目に表示すべき画像信号に対応するデータ電極Ｄｋ（ｋは１〜ｍの整数をあらわす）に正の書込みパルス電圧Ｖｄを印加する。すると、書込みパルス電圧Ｖｄを印加したデータ電極Ｄｋと走査電極ＳＣ１との交差部で放電が発生し、対応する主放電セルＣ１，ｋの維持電極ＳＵ１と走査電極ＳＣ１との間の放電に進展する。そして、主放電セルＣ１，ｋの走査電極ＳＣ１上部に正の壁電圧が蓄積され、維持電極ＳＵ１上部に負の壁電圧が蓄積され、１行目の書込み動作が終了する。ここで、プライミング電極ＰＲ１とデータ電極Ｄ１〜Ｄｍとの間で発生したプライミング放電からプライミングが供給されつつ主放電セルＣ１，ｋの書込み放電を発生させるので、放電遅れが小さく安定した放電となる。
【００３８】
つぎに、２行目の走査電極ＳＣ２に走査パルス電圧Ｖａを印加する。そしてこのとき、データ電極Ｄ１〜Ｄｍのうち２行目に表示すべき画像信号に対応するデータ電極Ｄｋに正の書込みパルス電圧Ｖｄを印加する。すると、データ電極Ｄｋと走査電極ＳＣ２との交差部で放電が発生し、対応する主放電セルＣ２，ｋの維持電極ＳＵ２と走査電極ＳＣ２との間の放電に進展する。そして、主放電セルＣ２，ｋの走査電極ＳＣ２上部に正の壁電圧が蓄積され、維持電極ＳＵ２上部に負の壁電圧が蓄積され、２行目の書込み動作が終了する。ここで、主放電セルＣ２，ｋの書込み放電も、プライミング電極ＰＲ１とデータ電極Ｄ１〜Ｄｍとの間で発生したプライミング放電からプライミングが供給された後に発生するので放電遅れが小さく安定した放電となる。
【００３９】
つぎに、３行目の走査電極ＳＣ３に走査パルス電圧Ｖａを印加する。すると走査電極ＳＣ３に接続されたプライミング電極ＰＲ３とデータ電極Ｄ１〜Ｄｍとの間でプライミング放電が発生する。そして、３行目の主放電セルＣ３，１〜Ｃ３，ｍおよび４行目の主放電セルＣ４，１〜Ｃ４，ｍ内部にプライミングを供給する。そしてこのとき、データ電極Ｄ１〜Ｄｍのうち３行目に表示すべき画像信号に対応するデータ電極Ｄｋに正の書込みパルス電圧Ｖｄを印加して３行目の書込み動作を行う。このときの書込み放電も、プライミング電極ＰＲ３とデータ電極Ｄ１〜Ｄｍとの間で発生したプライミング放電からプライミングが供給されつつ発生するので放電遅れが小さく安定した放電となる。
【００４０】
以下同様の書込み動作をｎ行目の主放電セルＣｎ，ｋに至るまで行い、書込み動作を終了する。そして、それぞれの主放電セルＣｉ，ｊの書込み放電は、隣接するプライミングセルからプライミングが供給されて発生するので、放電遅れの小さい安定した放電となる。
【００４１】
維持期間においては、走査電極ＳＣ１〜ＳＣｎ、プライミング電極ＰＲ１〜ＰＲｎ−１および維持電極ＳＵ１〜ＳＵｎを０（Ｖ）に一旦戻す。その後、走査電極ＳＣ１〜ＳＣｎに正の維持パルス電圧Ｖｓを印加する。このとき、書込み放電をおこした主放電セルＣｉ，ｊにおける走査電極ＳＣｉ上部と維持電極ＳＵｉ上部との間の電圧は、維持パルス電圧Ｖｓに加えて、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルス電圧を交互に印加することにより、書込み放電をおこした主放電セルＣｉ，ｊに対して維持パルスの回数だけ維持放電が継続して行われる。
【００４２】
なお、プライミング電極ＰＲ１〜ＰＲｎ−１はいずれかの走査電極と接続されているので、走査電極ＳＣ１〜ＳＣｎと同じ維持パルス電圧が印加される。書込み期間においてプライミング電極ＰＲ１〜ＰＲｎ−１上部には正の壁電圧が蓄積しているので、最初の維持パルス電圧印加時にはプライミングセル内部で放電が発生するが、それ以降は放電は発生しない。
【００４３】
つづくサブフィールドの主放電セル初期化期間では、維持電極ＳＵ１〜ＳＵｎを正電圧Ｖｅに保ち、走査電極ＳＣ１〜ＳＣｎには電圧Ｖｉ４に向かって緩やかに下降する傾斜波形電圧を印加する。すると、維持放電を行った主放電セルＣｉ，ｋの走査電極ＳＣ１〜ＳＣｎと維持電極ＳＵ１〜ＳＵｎおよびデータ電極Ｄ１〜Ｄｍとの間でそれぞれ微弱な初期化放電がおこる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整される。
【００４４】
この後のＰセル初期化期間、書込み期間、維持期間、およびつづくサブフィールドの駆動波形とパネルの動作は上述と同様である。
【００４５】
上述のように、プライミング電極ＰＲ１〜ＰＲｎ−１には走査電極ＳＣ１〜ＳＣｎと同じ駆動波形電圧を印加すればよいので、プライミング電極専用の駆動回路を必要とせず、プライミング電極の端子を引出す必要もなく、回路および実装が容易である。また、書込み期間および維持期間の最初の維持パルス電圧印加時にプライミングセル内部で画像表示に関係しない放電が発生するが、プライミングセルには光吸収層２８が設けてあるので、このときに発生する発光がパネル１０外部に漏れることはない。そして、書込み期間において、それぞれの主放電セルＣｉ，ｊの書込み放電は、隣接するプライミングセルからプライミングが供給されて発生するので、放電遅れの小さい安定した放電となる。
【００４６】
なお、本実施の形態においては、プライミン放電セルをできるだけ小さく設計するために、前面基板２１上に、維持電極２３−走査電極２２−プライミング電極２９−走査電極２２−維持電極２３−維持電極２３−走査電極２２−プライミング電極２９−走査電極２２−維持電極２３−・・・となるように各電極を配列した。しかし、電極の配列はこれに限られるものではなく、維持電極２３−走査電極２２−プライミング電極２９−維持電極２３−走査電極２２−プライミング電極２９−維持電極２３−走査電極２２−プライミング電極２９−・・・となるように各電極を配列してもよい。この場合には各隙間部４１がプライミングセルとして働く。
【００４７】
また、本実施の形態においては、プライミング電極ＰＲｐは隣接する主放電セルＣｐ，１〜Ｃｐ，ｍ、Ｃｐ＋１，１〜Ｃｐ＋１，ｍのうち、書込み期間において先に走査パルスを印加する走査電極ＳＣｐと電気的に接続した。しかしプライミング電極ＰＲｐはそれよりも前に走査パルスを印加する走査電極のいずれかと電気的に接続すればよく、例えばプライミング電極ＰＲｐと走査電極ＳＣｐ−１とを接続してもよい。
【００４８】
さらに、上述の動作説明においては、最初のサブフィールドの初期化期間は全ての主放電セルで初期化放電を行う全セル初期化動作を行い、つぎのサブフィールド以降の初期化期間は維持放電を行った主放電セルを選択的に初期化する選択初期化動作を行うものとして説明したが、これらの初期化動作は任意に組み合わせてもよい。
【産業上の利用可能性】
【００４９】
本発明は、書込み動作の駆動電圧マージンを狭めることなく、かつプライミング電極専用の駆動回路を設けることなく、書込み放電を安定して発生させることができるので、壁掛けテレビや大型モニター等に用いられるパネルおよびその駆動方法として有用である。
【図面の簡単な説明】
【００５０】
【図１】本発明の実施の形態におけるパネルの構造を示す分解斜視図
【図２】同パネルの断面図
【図３】同パネルの電極配列図
【図４】同パネルを用いたプラズマディスプレイ装置の回路構成の一例を示すブロック図
【図５】同パネルの駆動波形図
【符号の説明】
【００５１】
１０    パネル
２２    走査電極
２３    維持電極
２９    プライミング電極
３２    データ電極
３９    ＭｇＯ粉末層
４０    主放電セル
４１    隙間部
４１ａ    プライミングセル
【図１】
2006172800.tif 000003
【図２】
2006172800.tif 000004
【図３】
2006172800.tif 000005
【図４】
2006172800.tif 000006
【図５】
2006172800.tif 000007